(57)【要約】      （修正有）【課題】鍋取っ手を操作して鍋本体を傾斜させれば計量することができ、操作が簡単で、別途計量具による油量の計量を必要とせず、比較的正確に油量を制御でき、使用しやすく、便利な計量標識付き鍋を提供する。【解決手段】鍋本体と鍋本体上実装される鍋取っ手とを含む計量標識付き鍋であって、鍋本体の内底面上に第１の計量標識３が設けられ、鍋本体の内側壁上に第１の計量標識に合わせて使用される第２の計量標識４が設けられ、鍋本体が傾斜した場合に、第１の計量標識と第２の計量標識とを合わせて使用することによって、油５の量を計量することができる。【選択図】図８
0003216954.tif 000002
【実用新案登録請求の範囲】
【請求項１】
鍋本体（１）と鍋本体（１）上に実装される鍋取っ手（２）とを含む計量標識付き鍋であって、
前記鍋本体の内底面上に第１の計量標識（３）が設けられ、
前記鍋本体の内側壁上に第１の計量標識（３）に合わせた第２の計量標識（４）が設けられ、
鍋本体（１）が傾斜した場合に、第１の計量標識（３）と第２の計量標識（４）を合わせて使用することによって油量を計量することができることを特徴とする計量標識付き鍋。
【請求項２】
前記第１の計量標識（３）は１つであり、前記第２の計量標識（４）は１つであることを特徴とする請求項１に記載の計量標識付き鍋。
【請求項３】
前記第１の計量標識（３）は１つであり、前記第２の計量標識（４）は複数であることを特徴とする請求項１に記載の計量標識付き鍋。
【請求項４】
前記第１の計量標識（３）は複数であり、前記第２の計量標識（４）は１つであることを特徴とする請求項１に記載の計量標識付き鍋。
【請求項５】
前記第１の計量標識（３）は複数であり、前記第２の計量標識（４）は複数であることを特徴とする請求項１に記載の計量標識付き鍋。
【請求項６】
合わせて使用される第１の計量標識（３）と第２の計量標識（４）とは目盛線を有し環状に繋がることを特徴とする請求項１に記載の計量標識付き鍋。
【請求項７】
前記第１の計量標識（３）と第２の計量標識（４）とは点、線、数字、文字、符号から選ばれた一種類または複数種類の組合せであることを特徴とする請求項１に記載の計量標識付き鍋。
【請求項８】
前記第１の計量標識（３）と第２の計量標識（４）とは鍋本体（１）における鍋取っ手（２）に近接する箇所に設けられることを特徴とする請求項１に記載の計量標識付き鍋。
【請求項９】
前記鍋本体（１）は平底円形の鍋本体であり、前記第１の計量標識（３）は線分を含み、前記第２の計量標識（４）は複数本の円弧を含み、全ての円弧が位置する平面は互いに平行になり、全ての円弧が位置する箇所にアラビア数字が設けられることを特徴とする請求項３に記載の計量標識付き鍋。
【請求項１０】
前記線分と円弧とは鍋本体（１）上の凹溝で構成され、前記凹溝の深さは０.５ｍｍ以下であり、前記凹溝の幅は０.５ｍｍ以下であることを特徴とする請求項９に記載の計量標識付き鍋。
【考案の詳細な説明】
【技術分野】
【０００１】
本考案は鍋類用具の技術分野に関し、具体的に計量標識付き鍋に関する。
【背景技術】
【０００２】
鍋類用具で料理を調理する場合に、鍋類用具内への油量制御が容易ではなく、油量が少なすぎると調理効果が悪く、油量が多すぎると浪費になり人間の健康に悪影響に与える。油量の計量について専用の計量具（例えば測定用カップ、測定用レードルまたは皿など）を使用すると、油を注入する場合に、まず油を計量具へ注入し、そして油を鍋へ注入するので、後で計量具を洗浄する必要があり、使用が煩雑になる。従って、直感で油を注入することが多く、一般に相対的に正確に油量を制御することが難しい。
【０００３】
そのような課題を解決するために、特許文献１には、鍋の底部に人体が通常必要とする通常油量を示す目盛が設けられる目盛付き鍋を開示した。その目盛が鍋底に設けられるので、フライパンに適合せず円底鍋だけに適合し、制約があり、適用範囲が小さく、かつ油量の具体数値を計量することもできない。
【先行技術文献】
【特許文献】
【０００４】
【特許文献１】中国実用新案公告２０２１４６２０１明細書
【考案の概要】
【考案が解決しようとする課題】
【０００５】
本考案は、従来の鍋類用具の油量計量についての欠点に対して、各種類の鍋の油量計量に適用する計量標識付き鍋を提供する。
【課題を解決するための手段】
【０００６】
上記の目的を達成するために、本考案の技術手段として、鍋本体と鍋本体上に実装される鍋取っ手とを含む計量標識付き鍋であって、
鍋本体の内底面上に第１の計量標識が設けられ、
鍋本体の内側壁上に第１の計量標識に合わせて使用される第２の計量標識が設けられ、
鍋本体が傾斜した場合に、第１の計量標識と第２の計量標識を合わせて使用することによって油量を計量することができる計量標識付き鍋を提供する。
【０００７】
好ましくは、第１の計量標識は１つであり、第２の計量標識は１つである。厳密に毎日、毎食、料理毎の油量を制御する必要がある人々に対して、一対の計量標識だけを設置することによって、現在の油量が上限を超えたかを注意させ、人々のニーズに応える。
【０００８】
好ましくは、第１の計量標識は１つであり、第２の計量標識は複数である。人々は異なる種類の料理及び料理の量に応じて適量の油を注入することが多ので、１つの第１の計量標識と複数の第２の計量標識を設置することによって、複数種類の異なる油量を計量することができる。
【０００９】
好ましくは、第１の計量標識は複数であり、第２の計量標識は１つである。人々は異なる種類の料理及び料理の量に応じて適量の油を注入することが多いので、複数の第１の計量標識と１つの第２の計量標識を設置することによって、複数種類の異なる油量を計量することができる。
【００１０】
好ましくは、第１の計量標識は複数であり、第２の計量標識は複数である。人々は異なる種類の料理及び料理の量に応じて適量の油を注入することが多いので、複数の第１の計量標識と複数の第２の計量標識を設置することによって、複数種類の異なる油量を計量することができる。
【００１１】
好ましくは、合わせて使用される第１の計量標識と第２の計量標識とは目盛線を有し環状に繋がり、目視しやすく、迅速に計量することができる。
【００１２】
好ましくは、第１の計量標識と第２の計量標識とは点、線、数字、文字、符号から選ばれた一種類または複数種類の組合せである。複数種類の異なる標識選択を提供し、人々の個別化ニーズに応える。
【００１３】
好ましくは、第１の計量標識と第２の計量標識とは鍋本体における鍋取っ手に近接する箇所に設けられ、操作や目視しやすい。鍋を取っ手に直交する方向へ左右に傾斜させることが難しくなり、取っ手に沿う方向へ傾斜させることがより容易になる。
【００１４】
好ましくは、第１の計量標識と第２の計量標識とは鍋本体における鍋取っ手から離間する箇所に設けられ、操作や目視しやすい。鍋を取っ手に直交する方向へ左右に傾斜させることが難しくなり、取っ手に沿う方向へ傾斜させることがより容易になる。
【００１５】
好ましくは、鍋本体における鍋取っ手に近接する箇所と鍋取っ手から離間する箇所にも第１の計量標識及び第２の計量標識が設けられ、操作や目視しやすい。鍋を取っ手に直交する方向へ左右に傾斜させることが難しくなり、取っ手に沿う方向へ傾斜させることがより容易になり、両端にそれぞれ計量標識を設置することによって、人々の異なる使用習慣に応える。
【００１６】
好ましくは、鍋本体は平底円形の鍋本体であり、第１の計量標識は線分を含み、第２の計量標識は複数本の円弧を含み、全ての円弧が位置する平面は互いに平行になり、全ての円弧が位置する箇所にアラビア数字が設けられる。油量を計量する場合に、油が水平状態になった後に、鍋本体の底部の線分及び鍋本体の側壁の円弧はそれぞれ油面に揃え、測量がさらに正確になる。全ての円弧が位置する箇所にアラビア数字が設けられ、観察しやすい。
【００１７】
好ましくは、線分と円弧は鍋本体上の凹溝で構成され、凹溝の深さは０．５ｍｍ以下であり、凹溝の幅は０．５ｍｍ以下である。突起より凹溝の加工が容易で、観察の必要を満たす前提において凹溝の深さはできるだけ小さい方が良い。凹溝の深さが０．５ｍｍを超えると、加工時間が長くなり、かつ計量正確性に悪影響を与え、凹溝の幅が０．５ｍｍを超えると、加工時間が長くなり、かつ計量正確性に悪影響に与える。凹溝の深さ及び幅は鍍金厚さを考慮した上設計される。
【考案の効果】
【００１８】
従来の技術に比べて、本考案は以下のような利点を有する。１．鍋取っ手を操作して鍋本体を傾斜させると計量を達成でき、操作が簡単で、第１の計量標識と第２の計量標識を合わせて使用することによって油を計量するので、別途計量具による油量の計量を必要とせず、相対的に正確に油量を制御でき、使用しやすく、便利である。２．構造が簡単で、容易に作製され、フライパンや、円底鍋などの様々な種類の鍋の油量を計量することができる。３． 第１の計量標識と第２の計量標識とはエッチングや、レーザーなどで設置され、磨耗しにくく、使用が安全で効果が高い。
【図面の簡単な説明】
【００１９】
【図１】図１は本考案の実施例１の構造を示す模式図である。
【図２】図２は本考案の実施例２の構造を示す模式図である。
【図３】図３は本考案の実施例３の構造を示す模式図である。
【図４】図４は本考案の実施例４の構造を示す模式図である。
【図５】図５は本考案の実施例５の構造を示す模式図である。
【図６】図６は本考案の実施例６の構造を示す模式図である。
【図７】図７は本考案の実施例７の構造を示す模式図である。
【図８】図８は本考案の実施例２の使用状態を示す参照図である。
【図９】図９は本考案の実施例８の構造を示す模式図である。
【図１０】図１０は本考案の実施例９の構造を示す模式図である。
【考案を実施するための形態】
【００２０】
以下、本考案の実施例の図面を参照して、本考案の実施例の技術手段を解釈・説明するが、下記の実施例は本考案の好ましい実施例であり、全部ではない。当業者は実施形態の実施例に基づき、創造性を発揮しない前提で得られた他の実施例も、本考案の保護範囲に属する。
【００２１】
図１から図１０を参照すると、鍋本体と鍋本体上に実装される鍋取っ手とを含む計量標識付き鍋であって、鍋本体の内底面上に第１の計量標識が設けられ、鍋本体の内側壁上に第１の計量標識に合わせて使用される第２の計量標識が設けられ、鍋本体が傾斜した場合に、第１の計量標識と第２の計量標識とを合わせて使用することによって油量を計量することができる計量標識付き鍋である。
【００２２】
本考案によれば、鍋本体内の底面及び鍋本体の内側壁にそれぞれ計量標識を設置することによって、鍋取っ手を操作して鍋本体を傾斜させると計量を達成でき、操作が簡単であり、第１の計量標識と第２の計量標識とをあわせて使用することによって油を計量するので、別途計量具による油量の計量を必要とせず、相対的に正確に油量を制御でき、使用しやすく、便利であり、構造が簡単で、容易に作製され、フライパンや、円底鍋などの様々な種類の鍋の油量計量に適合し、第１の計量標識と第２の計量標識とがエッチングや、レーザーなどで設置され、磨耗しにくく、使用が安全で効果が高い。
【実施例１】
【００２３】
図１に示すように、本考案の実施例１の計量標識付き鍋において、鍋本体１上に鍋取っ手２（図示しない）が実装され、鍋本体１の内底面上に１つの第１の計量標識３が設けられ、第１の計量標識３が鍋取っ手２に対して直交し、鍋本体の内側壁上に１つの第２の計量標識４が設けられ、第２の計量標識４が鍋取っ手２に対して直交する。第１の計量標識３は１つの線分であり、第２の計量標識４は線分と線分の隣に位置する計量数値「１０ｍＬ」とを含む。鍋本体１が傾斜した場合に、第１の計量標識３と第２の計量標識４とを合わせて使用することによって油量の計量を実現する。第１の計量標識３が線分を含むという構造は円底鍋に適合する。
【実施例２】
【００２４】
図２に示すように、本考案の実施例２の計量標識付き鍋において、鍋本体１上に鍋取っ手２（図示しない）が実装され、鍋１体の内底面上に１つの第１の計量標識３が設けられ、第１の計量標識３が鍋取っ手２に対して直交し、鍋本体の内側壁上に複数の第２の計量標識４が設けられ、第２の計量標識４が鍋取っ手２に対して直交する。第１の計量標識３は１つの線分であり、第２の計量標識４は複数本の線分と線分の隣に位置する複数の計量数値「１０ｍＬ」、「２０ｍＬ」、「３０ｍＬ」、「４０ｍＬ」とを含む。鍋本体１が傾斜した場合に、第１の計量標識３と１つの第２の計量標識４とを合わせて使用することによって油量の計量を実現する。
【００２５】
図８に示すように、本考案の実施例２では、計量標識付き鍋を使用する場合に、鉛直面上に鍋取っ手２を操作して、鉛直面上に鍋本体１を傾斜させ、鍋本体１中の油５を調整し、油５の一面を鍋本体１内底面上の第１の計量標識３に揃えて、油５が水平になると、鍋本体１の内側壁上の第２の計量標識４と油面との相対位置を観察し、大体の油量が分かる。図８には油量が３０ｍＬであることを示す。
【実施例３】
【００２６】
図３に示すように、本考案の実施例３の計量標識付き鍋において、鍋本体１上に鍋取っ手２（図示しない）が実装され、鍋本体１の内底面上に複数の第１の計量標識３が設けられ、第１の計量標識３が鍋取っ手２に対して直交し、鍋本体の内側壁上に１つの第２の計量標識４が設けられ、第２の計量標識４が鍋取っ手２に対して直交する。第１の計量標識３は線分と線分の中間に位置する複数の計量数値「１０ｍＬ」、「２０ｍＬ」、「３０ｍＬ」、「４０ｍＬ」とを含み、線分が計量数値で分割され、第２の計量標識４は１つの円弧である。鍋本体１が傾斜した場合に、１つの第１の計量標識３と第２の計量標識４とを合わせて使用することによって油量の計量を実現する。
【実施例４】
【００２７】
図４に示すように、本考案の実施例４の計量標識付き鍋において、鍋本体１上に鍋取っ手２（図示しない）が実装され、鍋本体１の内底面上に複数の第１の計量標識３が設けられ、第１の計量標識３が鍋取っ手２に対して直交し、鍋本体の内側壁上に複数の第２の計量標識４が設けられ、第２の計量標識４が鍋取っ手２に対して直交する。第１の計量標識３は線分と線分の中間に位置する複数の計量数値「１０ｍＬ」、「２０ｍＬ」、「３０ｍＬ」、「４０ｍＬ」とを含み、線分が計量数値で分割され、第２の計量標識４は円弧と円弧の中間に位置する複数の計量数値「１０ｍＬ」、「２０ｍＬ」、「３０ｍＬ」、「４０ｍＬ」とを含み、線分が計量数値で分割される。鍋本体１が傾斜した場合に、１つの第１の計量標識３とそれに対応する１つの第２の計量標識４とを合わせて使用することによって油量の計量を実現する。具体的に、第１の計量標識３の「１０ｍＬ」に基づいて、油面が第２の計量標識４の「１０ｍＬ」に対応した場合に、油量が１０ｍＬであり、第２の計量標識４の「２０ｍＬ」に対応した場合に、油量が２０ｍＬである。
【実施例５】
【００２８】
図５に示すように、本考案の実施例５の計量標識付き鍋において、鍋本体１上に鍋取っ手２（図示しない）が実装され、鍋本体１の内底面上に複数の第１の計量標識３が設けられ、第１の計量標識３が鍋取っ手２に対して直交し、鍋本体の内側壁上の複数の第２の計量標識４が設けられ、第２の計量標識４が鍋取っ手２に対して直交し、第１の計量標識３と第２の計量標識４とが環形になる。第１の計量標識３は線分と線分の中間上方に位置する複数の計量数値「１０ｍＬ」、「２０ｍＬ」、「３０ｍＬ」、「４０ｍＬ」とを含み、第２の計量標識４は円弧である。鍋本体１が傾斜した場合に、１つの第１の計量標識３とそれに対応する１つの第２の計量標識４で囲まれた環によって油量の計量を実現する。
【実施例６】
【００２９】
図６に示すように、本考案の実施例６の計量標識付き鍋において、鍋本体１上に鍋取っ手２（図示しない）が実装され、鍋本体１の内底面上に複数の第１の計量標識３が設置され、第１の計量標識３が鍋取っ手２に対して直交し、鍋本体の内側壁上に複数の第２の計量標識４が設けられ、第２の計量標識４が鍋取っ手２に対して直交し、第１の計量標識３と第２の計量標識４とが環形になる。第１の計量標識３は円弧と円弧の上方に位置する複数の計量数値「１０ｍＬ」、「２０ｍＬ」、「３０ｍＬ」、「４０ｍＬ」とを含み、第２の計量標識４は円弧形の線条である。鍋本体１が傾斜した場合に、１つの第１の計量標識３とそれに対応する第２の計量標識４で囲まれた環によって油量の計量を実現する。第１の計量標識３が円弧を含む構造は円底鍋に適合する。
【実施例７】
【００３０】
図７に示すように、本考案の実施例７の計量標識付き鍋において、鍋本体１上に鍋取っ手２が実装され、鍋本体１の内底面上に複数の第１の計量標識３が設けられ、第１の計量標識３が鍋取っ手２に対して直交し、鍋本体の内側壁上に複数の第２の計量標識４が設けられ、第２の計量標識４が鍋取っ手２に対して直交し、第１の計量標識３と第２の計量標識４とが環形になる。第１の計量標識３は線分と線分の中間に位置する複数の計量数値「１０ｍＬ」、「２０ｍＬ」、「３０ｍＬ」、「４０ｍＬ」とを含み、第２の計量標識４は円弧である。鍋本体１が傾斜した場合に、１つの第１の計量標識３とそれに対応する第２の計量標識４で囲まれた環によって油量の計量を実現する。鍋本体１の内底面の鍋取っ手２に近接する一端と鍋取っ手２から離間する一端にそれぞれ複数の第１の計量標識３及び複数の第２の計量標識４が設けられる。
【実施例８】
【００３１】
図９に示すように、本考案の実施例８の計量標識付き鍋において、鍋本体１上に鍋取っ手２が実装され、鍋本体１の内底面上に１つの第１の計量標識３が設けられ、第１の計量標識３が鍋取っ手２に対して直交し、鍋本体の内側壁上に複数の第２の計量標識４が設けられ、第２の計量標識４が鍋取っ手２に対して直交する。第１の計量標識３は１本の線分と線分の中間に位置する１つの基准計量数値「０ｍＬ」とを含む。第２の計量標識４は複数本の円弧と円弧が位置する箇所の複数の計量数値「１０ｍＬ」、「２０ｍＬ」、「３０ｍＬ」、「４０ｍＬ」とを含み、円弧が計量数値で分割され、全ての円弧が位置する面は互いに平行になり、円弧が位置する面が鍋本体の底部に対して平行になる。鍋本体１が傾斜した場合に、１つの第１の計量標識３とそれに対応する第２の計量標識４とで囲まれた環によって油量の計量を実現する。第１の計量標識３と第２の計量標識４とは鍋本体１上の凹溝で構成される。線分及び円弧を形成する凹溝の幅は０．３ｍｍであり、深さは０．３ｍｍである。計量数値を形成する凹溝の幅は０．１ｍｍであり、深さは０．３ｍｍである。凹溝中に対して鍍金を行っても良い。
【実施例９】
【００３２】
図１０に示すように、本考案の実施例９の計量標識付き鍋において、鍋本体１上に鍋取っ手２が実装され、鍋本体１の内底面上に１つの第１の計量標識３が設けられ、第１の計量標識３が鍋取っ手２に対して直交し、鍋本体の内側壁上に複数の第２の計量標識４が設けられ、第２の計量標識４が鍋取っ手２に対して直交する。第１の計量標識３は１本の線分と線分の中間に位置する１つの基准計量数値「０ｍＬ」とを含む。第２の計量標識４は複数本の円弧と円弧が位置する箇所の複数の計量数値「１０ｍＬ」、「２０ｍＬ」、「３０ｍＬ」とを含み、計量数値が円弧の中間上方に位置し、全ての円弧が位置する面は互いに平行になり、円弧が位置する面は鍋本体の底部に対して平行になる。それぞれの計量数値の対応する円弧は１本の完全な円弧であり、円弧が計量数値で分割されない。鍋本体１が傾斜した場合に、１つの第１の計量標識３とそれに対応する第２の計量標識４で囲まれた環によって油量の計量を実現する。第１の計量標識３と第２の計量標識４とは鍋本体１上の凹溝で構成される。線分及び円弧を形成する凹溝の幅は０．５ｍｍであり、深さは０．５ｍｍである。計量数値を形成する凹溝の幅は０．１ｍｍであり、深さは０．５ｍｍである。
【００３３】
以上、本考案の具体的な実施形態を説明したが、本考案の保護範囲はこれに制限されるものではなく、当業者にとって、本考案は図面や以上の具体的な実施形態において説明した内容を含むが、これに限定されないことは明らかである。本考案の機能及び構造原理を逸脱しない限り全ての変更は特許請求の範囲に含まれる。
【符号の説明】
【００３４】
１  鍋本体
２  鍋取っ手
３  第１の計量標識
４  第２の計量標識
５  油
【図１】
0003216954.tif 000003
【図２】
0003216954.tif 000004
【図３】
0003216954.tif 000005
【図４】
0003216954.tif 000006
【図５】
0003216954.tif 000007
【図６】
0003216954.tif 000008
【図７】
0003216954.tif 000009
【図８】
0003216954.tif 000010
【図９】
0003216954.tif 000011
【図１０】
0003216954.tif 000012